(57)【要約】      （修正有）【課題】部品点数を増やすことなく、外装カバーのふかつきを抑え、ふかつきが発生しても、容易に調整ができ、ふかつき対策を行うことが可能でき、結果ふかつきのない品位の高い外観を有する電子機器を提供する。【解決手段】第１のカバー２０と第２のカバーと第３のカバー２５で内部構成部品を覆う構造を有する電子機器において、第１のカバー２０は、前記第１のカバー２０と一体となって構成された第１のインナー部材２１を有し、第２のカバー２２は、前記第２のカバーと一体となって構成された第２のインナー部材を有し、第１のインナー部材２１と第２のインナー部材はそれぞれ、第３のカバー２５が有する爪部と係合する係合部２１ａ〜２１ｃを有し、前記爪部と前記係合部の係合する当接面が斜面になっている。【選択図】図７
2013020099.tif 000002
【特許請求の範囲】
【請求項１】
第１のカバー２０と第２のカバー２２と第３のカバー２５で内部構成部品を覆う構造を有する電子機器において、第１のカバー２０は、前記第１のカバー２０と一体となって構成された第１のインナー部材２１を有し、第２のカバー２２は、前記第２のカバー２２と一体となって構成された第２のインナー部材２３を有し、第１のインナー部材２１と第２のインナー部材２３はそれぞれ、第３のカバー２５が有する爪部２５ａ〜２５ｆと係合する係合部２１ａ〜２１ｃ、２３ａ〜２３ｂを有し、
前記爪部と前記係合部の係合する当接面が斜面になっている
ことを特徴とする電子機器。
【請求項２】
前記第３のカバー２５は、前記第３のカバーの爪部２５ａ〜２５ｆと前記第１、第２のインナー部材２１、２３の係合部２１ａ〜２１ｃ、２３ａ〜２３ｂが係合する箇所とは別箇所に第１、第２のインナー部材２１、２３と当接する凸形状２５ｈ〜２５ｑを有することを特徴とする請求項１に記載の電子機器。
【請求項３】
前記第３のカバー２５は、光軸に向かう穴形状部２５ｇを有し、前記第１、第２のインナー部材２１、２３はそれぞれ、光軸方向に向かう突出したリブ２３ｃを有し、前記穴形状２５ｇの下側面が、前記突出したリブ２３ｃの下側面と当接していることを特徴とする請求項１又は請求項２に記載の電子機器。
【請求項４】
前記第１のカバー２０と前記第１のインナー部材２１は一部品で構成されたことを特徴とする請求項１乃至請求項３の何れか１項に記載の電子機器。
【請求項５】
前記第２のカバー２２と前記第２のインナー部材２３は一部品で構成されたことを特徴とする請求項１乃至請求項４の何れか１項に記載の電子機器。
【発明の詳細な説明】
【技術分野】
【０００１】
本発明は電気回路を用いて情報を扱う電子機器に関し、特に電子画像を撮影するための撮像素子を備えた撮像電子機器（デジタルカメラ）の外装構造に関する。
【背景技術】
【０００２】
デジタルカメラは近年、更なる小型化、薄型化の製品開発が盛んに行われている。デジタルカメラは被写体像を光電子変換して電子画像信号を出力する固体撮像素子と、この固体撮像素子から出力される電子画像信号を記憶する記憶媒体と、撮像された電子画像を確認することが可能な画像表示ユニットを備えている。
【０００３】
前述のデジタルカメラは、動画機能が強化され、よりビデオカメラに近い存在になっている。そのため、音声録音についても機能アップが求められている。例えば、従来では単独マイクによるモノクロ音声記録が主流だったものが、複数のマイクを搭載し、ステレオ音声記録により、臨場感のある音声の録音が可能なデジタルカメラもある。また、指向性の高いマイクを搭載し、デジタルカメラ本体の被写体側にマイクを配置することで、より音質の高い音声も録音できる。通常、マイク本体はゴムなどの弾性部材で全周を囲われており、さらに前記弾性部材は、外装カバーと内部部品とで挟持されて保持されている。前記弾性部材は、外装カバーとの間に隙間がなくなるように、微小に押しつぶされて保持している。撮影しようとデジタルカメラを把持すると、外装カバーには微小な震動が発生し、前記振動が外装カバーを伝わり、音になってマイクが拾ってしまうことがある。しかし、前述のように前記弾性部材でマイクを囲い、外装カバーに弾性部材を密着させることで、振動を保持部材が吸収し、マイク本体には伝わりにくくなる。
【０００４】
ここで、弾性部材で囲んだマイクを電子機器の正面側に配置することは、より被写体に近い位置にマイクが配置されるため、音質の良い音が録音できる。しかし、前述のように弾性部材を微小に押しつぶす構成とすることで、本体を把持した際に外装カバーが沈み込む感触がある、いわゆる、ふかつきが発生する場合がある。特にステレオマイクとしてマイクを複数搭載した場合、弾性部材を一体構成にしても、複数構成にしても、モノクロマイクの場合よりも、外装カバーを押す弾性部材の力量は多くなり、外装カバーのふかつきも多くなってしまう。
【０００５】
また、外装カバー同士の隙間から塵埃が侵入すると、内部部品に影響を及ぼすため、外装カバー同士の隙間はより少なくする必要がある。特に、電子機器が電源ＯＮ時に繰り出す鏡筒レンズと外装カバーには必ず隙間が存在する。その隙間から塵埃が侵入しないように、鏡筒レンズと外装カバーの隙間に弾性部材を配置している。この場合も、前述と同様に外装カバーのふかつきの原因になる。
【０００６】
よって、外装カバー同士の隙間や、外装カバーのふかつきを抑えることは、外観の品位より高めることになるために、極力抑制することが必要になる。
【０００７】
そこで、前カバーと後カバーの合わせ目の隙間を狭くしたり、広くしたり調整を行うことが可能な機構を、電子機器本体内部に配置した電子機器が提案されている。この機構はカバー側面に穴が開いており、そこから調整部材をはめ込み調整を行うものであり、側面の開口穴は、調整を行わない場合は目隠し部材によって塞がれている。（特許文献１）。
【先行技術文献】
【特許文献】
【０００８】
【特許文献１】特開２００８−１４１１２９号公報
【発明の概要】
【発明が解決しようとする課題】
【０００９】
しかし、前後カバーの合わせの隙間を調整する機構を構成することは機構自体が複雑であり、部品点数が増え、コストが上がってしまうという問題点が挙げられる。さらに、本体内部に構成するため、電子機器の本体サイズが増え、小型化、薄型化に対して非常に不利になるという点もあげられる。
【００１０】
そこで、本発明は上記課題を解決するために発明されたものであり、部品点数を増やすことなく外装カバー同士の合わせの隙間や、外装カバーのふかつきを軽減し、外装カバーのふかつきが発生しても、容易に調整ができ、対策を行うことができ、結果品位の高い外観を有する電子機器を提供することを目的としている。
【課題を解決するための手段】
【００１１】
上記課題を解決するために、本発明においては、
請求項１に記載の電子機器において、第１のカバー２０と第２のカバー２２と第３のカバー２５で内部構成部品を覆う構造を有する電子機器において、第１のカバー２０は、前記第１のカバー２０と一体となって構成された第１のインナー部材２１を有し、第２のカバー２２は、前記第２のカバー２２と一体となって構成された第２のインナー部材２３を有し、第１のインナー部材２１と第２のインナー部材２３はそれぞれ、第３のカバー２５が有する爪部２５ａ〜２５ｆと係合する係合部２１ａ〜２１ｃ、２３ａ〜２３ｂを有し、
前記爪部と前記係合部の係合する当接面が斜面になっていることを特徴としている。
【００１２】
さらには、請求項２に記載の電子機器において、
前記第３のカバー２５は、前記第３のカバーの爪部２５ａ〜２５ｆと前記第１、第２のインナー部材２１、２３の係合部２１ａ〜２１ｃ、２３ａ〜２３ｂが係合する箇所とは別箇所に第１、第２のインナー部材２１、２３と当接する凸形状２５ｈ〜２５ｑを有することを特徴としている。
【００１３】
さらには、請求項３に記載の電子機器において、
前記第３のカバー２５は、光軸に向かう穴形状部２５ｇを有し、前記第１、第２のインナー部材２１、２３はそれぞれ、光軸方向に向かう突出したリブ２３ｃを有し、前記穴形状２５ｇの下側面が、前記突出したリブ２３ｃの下側面と当接していることを特徴としている。
【００１４】
さらには、請求項４又は請求項５に記載の電子機器において、
前記第１のカバー２０と前記第１のインナー部材２１、もしくは前記第２のカバー２２と前記第２のインナー部材２３は、それぞれ一部品で構成していることを特徴としている。
【発明の効果】
【００１５】
本発明の請求項１、及び請求項２によれば、
第１のインナー２１を有している第１のカバー２０と第３のカバー２５が、それぞれの係合部と爪部とで係合している状態において、それぞれの当接面は公差を持っているため、寸法ばらつきにより、隙間が発生する場合がある。この隙間が、前述のとおり、弾性部材を有したマイクの影響により、第３のカバー２５に対する第１のカバー２０のふかつきにつながる。この場合、第１のインナー２１と当接する第３のカバー２５の凸形状部の光軸方向の凸量を調整する。すなわち、凸形状部に対応する金型の凹部を個々に切削することで、第３のカバーの凸量を調整し、第１のカバー２０のふかつき具合を軽減することができる。このとき、複数の凸形状部のすべての箇所で調整してもよいし、その一部で調整することもできる。したがって、凸形状部が存在していない場合においては、従来金型全面を切削していたことに比較して、金型の修正が格段に容易になる。さらには、細かいふかつきが生じた場合にも、部分的に対応することができる。
【００１６】
ここで、凸形状部の調整量を多くした場合、前記爪部と係合部の当接面が共に、光軸に対して垂直な面になっている場合では、前記爪部と係合部が係合しない場合が発生する。その場合は、前記第１のカバーは組み込むことができなくなってしまう。
【００１７】
しかし、本発明では前記爪部と係合部の当接面が斜面になっており、係合部を有している前記第１のインナー２１は樹脂部材で構成し、係合部は弾性を有しているため、係合部の腕部分が撓むことができ、係合しきらない状態は発生しない。
【００１８】
さらに、本発明の請求項３によれば、
第３のカバー２５に光軸に向かう方向に穴を開け、第１、第２のインナーがその穴部の中に入り込み、前記穴部の下側面と当接する突出したリブを有していることで、第３のカバー２５が上側方向に浮きあがることを規制できる。つまり、第１、第２のインナー２１、２３を介して、第１、第２のカバー２０、２２が光軸方向にふかつくことを防ぐと同時に、第３のカバー２５が上側に浮きあがることを防ぐことが可能になるのである。
【００１９】
さらに、請求項４、及び請求項５において
前記、第１、第２のカバー２０、２２と第１、第２のインナー２１、２３をそれぞれ一体の樹脂で構成すれば、大幅なコストダウンが実施できる。
【図面の簡単な説明】
【００２０】
【図１】（ａ）本発明の電子機器（正面斜視図）        （ｂ）本発明の電子機器（背面斜視図）
【図２】本発明の電子機器の外装カバーを外した斜視図
【図３】フロントカバーユニット分解背面斜視図
【図４】リアカバーユニット分解斜視図
【図５】トップカバーユニット裏面斜視図
【図６】断面位置指示図
【図７】Ａ−Ａ断面図
【図８】Ｂ−Ｂ断面図
【図９】（ａ）トップカバーユニット正面図        （ｂ）トップカバーユニット背面図
【図１０】Ｃ−Ｃ断面図
【発明を実施するための形態】
【００２１】
［実施例１］
以下、図面を参照して本発明の実施例１の形態を詳しく説明する。
【００２２】
図１（ａ）、及び（ｂ）は本発明の実施形態であるデジタルカメラ外観図であり、ともに電源ＯＮの状態である。
【００２３】
図１中の１は撮影準備、及び撮影開始を指示するためのレリーズボタン、２はズームレバーであり、光学式変倍機能或いはデジタル式変倍機能において、その倍率を調節操作するためのものである。前記ズームレバー２はレリーズボタン１の中心に対し所定の角度まで回動可能である。３はデジタルカメラの電源のON、OFF機能を持つ電源ボタン、４は様々な撮影モードを切り替えることが可能なモードダイヤルである。５はAF補助光の窓、６は閃光発光装置、７は鏡筒レンズである。そして、８は撮影したデータを記録するためのメモリーカード挿入口を覆うメモリーカードカバーであるとともに、電池を覆う電池蓋である。電池蓋８はカメラ本体に対して、スライド及び回動動作を行い開閉する。
【００２４】
９は撮影画像の確認・再生、撮影条件等の各種情報を表示するための液晶表示装置である。１０はコネクタカバーであり、各種外部デバイスに接続するために、プリント基板上に実装された端子類を保護する。本実施の形態では、テレビ受信機等の外部映像デバイスに接続するためのアナログビデオ端子、外部直流電源に接続するための電源端子、ＰＣ等に接続するためのデジタル端子のうち少なくとも１つを備えるものとする。そして、１１は回転操作ダイヤルであり、そのまわりに４つの操作ボタン群を備える。操作ボタン群は、中央のボタンと周囲のボタンから構成されており、撮影時や画像再生時に各種設定をする際に使用する。そして、デジタルカメラの正面側に配置された穴１２がステレオマイクの穴である。
【００２５】
図１（ａ）、（ｂ）ともに電源ON状態、つまり撮影可能状態であるため、鏡筒レンズ７は繰り出しており、さらに閃光発光装置６は外観に露出し、発光信号により即発光可能な状態に位置している。なお、閃光発光装置６は電源OFF時には垂直下降し、デジタルカメラ内部に収納される。
【００２６】
図２は、図１の電子機器の外装カバーを外した状態の図である。
【００２７】
本発明の電子機器は本体に対して、第1のカバーであるフロントカバーユニット１４、第２のカバーであるリアカバーユニット１５、そして第３のカバーであるトップカバーユニット１６の３つのカバーにより構成される。１９は本体の信号処理基板であり、トップカバーをまず取り付け、その後、フロントカバーユニット１４、リアカバーユニット１５を取り付け、それぞれを左右のねじ５１からねじ５４、および底面ねじ５５、５６で固定する。正面側に配置された１７、１８がマイク本体をそれぞれ弾性部材で覆ったマイクユニットであり、図２のとおり複数搭載している。
【００２８】
図３は前記フロントカバーユニット１４を背面から見た分解図である。２０が金属材料で構成した第1のカバーであるフロントカバー、２１が樹脂材料で構成した第1のインナーであるフロントインナーである。前記フロントインナー２１はフロントカバー２０に対して、両面テープや接着剤によって固定される。また、フロントインナー２１は、後述する第３のカバーであるトップカバー２５が有している爪部と係合する係合部２１ａ、２１ｂ、２１ｃを備えている。
【００２９】
図４は前記リアカバーユニット１５を正面から見た分解図である。２２が金属材料で構成した第２のカバーであるリアカバー、２３、２４が第２のインナーである上部リアインナー、操作部やスピーカー保持部を有したボタンインナーであり、どちらも樹脂材料で構成される。前記上部リアインナー２３、およびボタンインナー２４はリアカバー２２に対して、両面テープや接着剤によって固定される。また、上部リアインナー２３は、後述する第３のカバーであるトップカバー２５が有している爪部と係合する係合部２３ａ、２３ｂを有している。同様に、ボタンインナー２４も、後述する第３のカバーであるトップカバー２５が有している爪部と係合する係合部２４ａを有している。さらに、上部リアインナー２３には、光軸方向に突出したリブ２３ｃを有している。
【００３０】
本実施例では上部リアインナー２３とボタンインナー２４を別部品で構成しているが、一体化して一部品にしても問題ない。
【００３１】
図５はトップカバーユニット１６を底面側から見た図である。図５中の２５が第３のカバーであるトップカバーである。トップカバー２５は前記フロントインナー２１の係合部２１ａ、２１ｂ、２１ｃとそれぞれ係合する爪部２５ａ、２５ｂ、２５ｃを有している。さらに、前記上部リアインナー２３とボタンインナー２４の係合部２３ａ、２３ｂ、及び２４ａとそれぞれ係合する爪部２５ｄ、２５ｅ、２５ｆを有している。
【００３２】
図６は本実施例のデジタルカメラの正面図であり、Ａ−Ａ断面、Ｂ−Ｂ断面、Ｃ−Ｃ断面の位置を示している。
【００３３】
図７がＡ−Ａ断面図であり、フロントインナー２１の係合部の一部とトップカバー２５の爪部の一部が係合する箇所の断面図である。
【００３４】
図７が示すとおり、トップカバー２５の爪部２５ｂと、フロントインナー２１が有する係合部２１ｂとの当接部２６が斜面状で係合している。前記係合部２１ｂは樹脂材料で構成しているため、係合部２１ｂは撓むことが可能であり、必ず前記爪部２５ｂと係合する。
【００３５】
図８がＢ−Ｂ断面であり、上部リアインナー２３の係合部の一部とトップカバー２５の爪部の一部が係合する箇所の断面図である。
【００３６】
トップカバー２５の爪部２５ｅと、上部リアインナー２３が有する係合部２３ｂとの当接部２７が斜面状で係合している。図７のフロントインナー２１と同様に、前記係合部２３ｂは樹脂材料で構成しているため、係合部２３ｂは撓むことが可能であり、必ず前記爪部２５ｅと係合する。図７、図８においてフロントインナー２１の一部、及び上部リアインナー２３の係合部の一部とトップカバー２５の爪部の一部の断面図を示したが、前述以外のそれぞれの係合部と爪部も同様に、斜面状に当接している。
【００３７】
図９（ａ）は前記トップカバー２５の正面図、図９（ｂ）は背面図である。図９（ａ）において、２５ｈから２５ｌまですべて、前記フロントインナー２１と光軸方向で当接するための凸形状部である。また、図９（ｂ）において、２５ｍから２５ｒはすべて、前記上部リアインナー２３、またはボタンインナー２４と光軸方向で当接するための凸形状部である。
【００３８】
さらに図９（ｂ）中の２５ｇは穴形状になっており、この穴形状部２５ｇに、図４中に記載の上部リアインナー２３が有する光軸方向に突出したリブ２３ｃが入り込む。
【００３９】
図１０は図６のＣ−Ｃ断面図であり、前述の上部リアインナー２３が有する光軸方向に突出したリブ２３ｃの位置での断面図であり、フロントカバー２０側において、前記凸形状部２５ｋがフロントインナー２１の当接部２１ｄと当接している。
【００４０】
図９（ａ）または図９（ｂ）のそれぞれの凸形状部すべてが同様に、フロントインナー２１、上部リアインナー２３、またはボタンインナー２４と光軸方向で同様に当接している。
【００４１】
フロントインナー２１とトップカバー２５は、図７中のそれぞれの爪部２５ｂと係合部２１ｂの斜面形状になっている当接部２６と、図１０のそれぞれの凸形状部２５ｋと当接面２１ｄとで、挟持関係にある。それぞれが当接していても部品寸法のばらつきにより、当接していない状態になり隙間が発生する。この隙間がフロントカバー２０のふかつきにつながる。そこで、前記凸形状部２５ｋの光軸方向の凸量を調整する。すなわち、凸形状部に対応する金型の凹部を切削することで、凸形状部２５ｋの凸量を調整し、フロントカバー２０のふかつき具合を軽減することができる。凸形状部２５ｋの凸量だけを部分的に調整することで、凸形状部２５ｋが存在していない場合の従来金型全面を切削していたことに比較して、金型の修正が格段に容易になる。
【００４２】
また、前記凸形状部２５ｋの凸量を調整しても、もう一方の当接部２６は斜面形状であり、さらに樹脂材料で構成されて弾性力があるため、撓むことができる。そのため、係合しきらないといった状態が発生しない。
【００４３】
図１０において、フロントインナー２１とトップカバー２５との関係を示したが、上部リアインナー２３、ボタンインナー２４とトップカバー２５との関係も同様の構成をとなっている。
【００４４】
また、図１０のリアカバー２２側においては、トップカバー２５の穴形状部２５ｇに上部リアインナー２３の光軸方向に突出したリブ２３ｃが入りこんでいる状態を示している。その中で、前記リブ２３ｃの下側面と前記穴形状部２５ｇの下側面は当接している。下側面同士で当接することによって、トップカバー２５が上側方向に浮きあがり、ふかつくことを規制することができる。
【００４５】
例えば、図９中の凸形状部２５ｐの凸量を調整したとすると、その付近の上部リアインナー２３の係合部２３ｂ（図８中）が撓んでトップカバー２５の爪部２５ｅと係合することになる。このとき、前記係合部２３ｂが弾性力を持っているため、斜面形状での当接部２７において、トップカバー２５を上側に押し上げる力量が発生する。前記力量は微小でも、トップカバー２５の浮きあがり、ふかつきの原因になる。しかし、前述のように、前記リブ２３ｃと前記穴形状部２５ｇとで、規制されているため、トップカバー２５が浮き上がり、ふかつきこと軽減することができる。
【００４６】
前述の構成は上部リアインナー２３とトップカバー２５での関係だが、当然、フロントインナー２１とトップカバー２５にも適用しても良い。
【００４７】
また、本発明の閃光発光装置６は閃光する場合においては、図１（ａ）のとおり、光学パネル１３を外観に露出するなど移動可能な装置だが、移動しない閃光発光装置にも本発明は適用可能である。
【符号の説明】
【００４８】
（１４）フロントカバーユニット
（１５）リアカバーユニット
（１６）トップカバーユニット
（１７）マイクユニット１    （１８）マイクユニット２
（１９）信号処理基板
（２０）フロントカバー（第１のカバー）
（２１）フロントインナー（第１のインナー部材）
（２１ａ）係合部１
（２１ｂ）係合部２
（２１ｃ）係合部３
（２１ｄ）光軸方向の当接面
（２２）リアカバー（第２のカバー）
（２３）上部リアインナー（第２のインナー部材）
（２３ａ）係合部１
（２３ｂ）係合部２
（２３ｃ）突出したリブ
（２４）ボタンインナー（第２のインナー部材その２）
（２４ａ）係合部１
（２５）トップカバー
（２５ａ）爪部１  （２５ｂ）爪部２
（２５ｃ）爪部３  （２５ｄ）爪部４
（２５ｅ）爪部５  （２５ｆ）爪部６
（２５ｇ）穴形状部
（２５ｈ）凸部１  （２５ｉ）凸部２
（２５ｊ）凸部３  （２５ｋ）凸部４
（２５ｌ）凸部５  （２５ｍ）凸部６
（２５ｎ）凸部７  （２５ｏ）凸部８
（２５ｐ）凸部９  （２５ｑ）凸部１０
（２６）爪部２５ｂと係合部２１ｂの斜面形状当接部
（２７）爪部２５ｅと係合部２３ｂの斜面形状当接部
（２８）下側当接部
【図１】
2013020099.tif 000003
【図２】
2013020099.tif 000004
【図３】
2013020099.tif 000005
【図４】
2013020099.tif 000006
【図５】
2013020099.tif 000007
【図６】
2013020099.tif 000008
【図７】
2013020099.tif 000009
【図８】
2013020099.tif 000010
【図９】
2013020099.tif 000011
【図１０】
2013020099.tif 000012